(57)【要約】【課題】開閉部材の回動部分においても外部からの電磁波を確実に遮断することができ、更には接続対象物を外部のグランド部に導通させる場合でも接続信頼性を低下させることのないコネクタを提供する。【解決手段】開閉部材３０を閉鎖位置まで回動すると、弾性変形可能なシールド部材４０が開閉部材３０に押圧されてフレキシブル回路１に圧接するようにしたので、シールド部材４０を開閉部材３０の回動部分を回避するように形成する必要がなく、開閉部材３０の回動部分においてもシールド部材４０によって外部からの電磁波を確実に遮断することができる。また、シールド部材４０には押圧部３１の押圧によるフレキシブル回路１への接触圧を付与することができるので、長期的な使用においても接触圧が低下することがない。【選択図】図４
2006120429.tif 000002
【特許請求の範囲】
【請求項１】
接続対象物を所定位置に挿入可能なコネクタ本体と、一端側が接続対象物の一方の面側に位置するように設けられた複数の端子と、コネクタ本体に回動自在に設けられた開閉部材とを備え、開閉部材を所定の閉鎖位置まで回動すると接続対象物の一方の面と各端子とが圧接し、開閉部材を開放方向の所定位置まで回動すると接続対象物と各端子との圧接が解除されるようにしたコネクタにおいて、
前記接続対象物の他方の面側に位置するように設けられ、開閉部材を閉鎖位置まで回動すると開閉部材に押圧されて接続対象物の他方の面に圧接する弾性変形可能なシールド部材を備えた
ことを特徴とするコネクタ。
【請求項２】
前記各端子に、接続対象物の一方の面側に接触する弾性片部と、シールド部材を間にして弾性片部と対向する固定片部とを設け、
固定片部とシールド部材との間には固定片部に当接しながら開閉部材と一体に回動してシールド部材を押圧する押圧部を設けた
ことを特徴とする請求項１記載のコネクタ。
【請求項３】
前記シールド部材に外部のグランド部に接続可能なグランド用接続部を設けた
ことを特徴とする請求項１または２記載のコネクタ。
【請求項４】
前記開閉部材に、開閉部材を閉鎖位置まで回動すると各端子の他端側を覆うカバー部を備えた
ことを特徴とする請求項１、２または３記載のコネクタ。
【請求項５】
前記開閉部材に、開閉部材を開放位置まで回動するとコネクタ本体の取付対象面に対して略平行となる平面部を備えた
ことを特徴とする請求項１、２、３または４記載のコネクタ。
【発明の詳細な説明】
【技術分野】
【０００１】
本発明は、例えばフレキシブルプリント回路（ＦＰＣ）やフレキシブルフラットケーブル（ＦＦＣ）等を接続するためのコネクタに関するものである。
【背景技術】
【０００２】
従来、この種のコネクタとしては、ＦＰＣやＦＦＣ等の接続対象物（以下、フレキシブル回路という。）の一端を前面側に挿入可能に形成されたコネクタ本体と、コネクタ本体に幅方向に配列された複数の端子とを備え、コネクタ本体内に挿入されたフレキシブル回路を各端子の一端側に接触させるようにしたものが知られている（例えば、特許文献１参照）。
【０００３】
このコネクタは、コネクタ本体に回動自在に設けられた開閉部材を備え、開閉部材を所定の開放位置まで回動すると、フレキシブル回路をコネクタ本体に抜き差し可能となり、フレキシブル回路をコネクタ本体に挿入した状態で開閉部材を所定の閉鎖位置まで回動すると、フレキシブル回路と各端子とが圧接し、フレキシブル回路の接続が完了するようになっている。
【特許文献１】特開２００３−１０９６９５号公報
【発明の開示】
【発明が解決しようとする課題】
【０００４】
ところで、従来のコネクタでは、外部からの電磁波を遮断するための金属製のシェルによってコネクタ本体を覆う場合もあるが、この場合は開閉部材とシェルとの干渉を回避するため、開閉部材の回動部分をシェルで覆うことができず、ＥＭＩ（Electro Magnetic Interference：電磁波障害）対策が十分でないという問題点があった。また、フレキシブル回路のグランド導電部をシェルに接触させてシェルを基板のグランド部に接続する場合、シェルにはフレキシブル回路との接触により弾性変形する接触部が設けられるが、接触部の弾性力のみ接触圧が低下して導通不良を生じ易く、長期的な使用におけるグランドの接続信頼性に劣るという問題点があった。
【０００５】
本発明は前記問題点に鑑みてなされたものであり、その目的とするところは、開閉部材の回動部分においても外部からの電磁波を確実に遮断することができ、更には接続対象物を外部のグランド部に導通させる場合でも接続信頼性を低下させることのないコネクタを提供することにある。
【課題を解決するための手段】
【０００６】
本発明は前記目的を達成するために、接続対象物を所定位置に挿入可能なコネクタ本体と、一端側が接続対象物の一方の面側に位置するように設けられた複数の端子と、コネクタ本体に回動自在に設けられた開閉部材とを備え、開閉部材を所定の閉鎖位置まで回動すると接続対象物の一方の面と各端子とが圧接し、開閉部材を開放方向の所定位置まで回動すると接続対象物と各端子との圧接が解除されるようにしたコネクタにおいて、前記接続対象物の他方の面側に位置するように設けられ、開閉部材を閉鎖位置まで回動すると開閉部材に押圧されて接続対象物の他方の面に圧接する弾性変形可能なシールド部材を備えている。
【０００７】
これにより、開閉部材を閉鎖位置まで回動すると、シールド部材が開閉部材に押圧されて接続対象物に圧接することから、シールド部材を開閉部材の回動部分を回避するように形成する必要がなく、開閉部材の回動部分においてもシールド部材によって外部からの電磁波が遮断される。また、シールド部材には押圧部の押圧による接続対象物への接触圧が付与されることから、長期的な使用においても接触圧が低下することがない。
【発明の効果】
【０００８】
本発明のコネクタによれば、シールド部材を開閉部材の回動部分を回避するように形成する必要がないので、開閉部材の回動部分においてもシールド部材によって外部からの電磁波を確実に遮断することができ、ＥＭＩ対策を強化することができる。また、シールド部材４０には押圧部３１の押圧によるフレキシブル回路１への接触圧を付与することができるので、長期的な使用においてもシールド部材と接続対象物との接触圧が低下することがなく、接続対象物を外部のグランド部に導通させる場合の接続信頼性を高めることができる。
【発明を実施するための最良の形態】
【０００９】
図１乃至図４は本発明の一実施形態を示すもので、図１はコネクタの正面側斜視図、図２はその背面側斜視図、図３は開閉部材の開放状態を示す側面断面図、図４は開閉部材の閉鎖状態を示す側面断面図である。
【００１０】
このコネクタは、接続対象物としてのフレキシブル回路１の一端側が挿入されるコネクタ本体１０と、コネクタ本体１０に互いに幅方向に等間隔で配列された複数の端子２０と、コネクタ本体１０に回動自在に設けられた開閉部材３０と、コネクタ本体１０に取付けられたシールド部材４０とから構成されている。
【００１１】
フレキシブル回路１は、いわゆるフレキシブルフラットケーブル（ＦＦＣ）またはフレキシブルプリント回路（ＦＰＣ）からなり、その先端側の下方の面には複数の電気接点（図示せず）が互いに幅方向に間隔をおいて設けられ、その上方の面にはグランド部（図示せず）が幅方向に亘って設けられている。
【００１２】
コネクタ本体１０は合成樹脂の成型品からなり、その前面にはフレキシブル回路１を挿入する開口部１０ａが設けられている。即ち、コネクタ本体１０は、上面部１１、底面部１２及び側面部１３からなり、上面部１１側及び底面部１２側には各端子２０を保持する複数の端子孔１０ｂが互いに幅方向に等間隔で設けられている。端子孔１０ｂの上面側と底面側との間にはシールド部材４０が圧入される溝１０ｃが設けられ、溝１０ｃはコネクタ本体１０の前方に向かって開口している。また、各側面部１３の背面には開閉部材３０を係合する係合溝１３ａが設けられている。
【００１３】
各端子２０は導電性の金属板からなり、コネクタ本体１０の各端子孔１０ｂにそれぞれ背面側から圧入することによって保持されている。各端子２０の一端側には互いに上下方向に間隔をおいて前方に二股状に延びる固定片部２１及び弾性片部２２が設けられるとともに、弾性片部２２はフレキシブル回路１の一方の面側（下面側）に位置するように設けられ、固定片部２１はシールド部材４０を間にして弾性片部２２と対向するように設けられている。固定片部２１はコネクタ本体１０の上面部１１に沿って前後方向に延び、その先端側は端子孔１０ｂから前方に突出している。また、固定片部２１の先端側には開閉部材３０を係止する係止部２１ａが下方に向かって突設されている。弾性片部２２は上下方向に弾性変形可能に形成され、その先端側にはフレキシブル回路１の接点に接触する接触部２２ａが上方に向かって突設されている。各端子２０の他端側はコネクタ本体１０の背面に沿って上下方向に延びるとともに、コネクタ本体１０の背面側から外部に露出している。また、各端子２０の他端側には図示しない基板に接続される接続部２３が設けられ、接続部２３は端子２０の下端から後方に延びるように形成されている。
【００１４】
開閉部材３０は合成樹脂の成型品からなり、コネクタ本体１０の上面側及び背面側を覆うように略Ｌ字状に形成されている。開閉部材３０の前端側には各端子２０の固定片部２１を挿通する複数の端子挿通孔３０ａが互いに幅方向に等間隔で設けられ、各端子挿通孔３０ａの一端側にはシールド部材４０を下方へ押圧する押圧部３１が設けられている。押圧部３１は端子２０の固定片部２１とシールド部材４０との間に配置され、固定片部２１の係止部２１ａと上面部１１の前端に係止することにより、前後方向に移動を規制されている。この場合、押圧部３１は、開閉部材３０が開放位置（開閉部材３０の上面が水平方向と略４５゜をなす位置）にあるときの上下方向の寸法が固定片部２１とシールド部材４０との間隔よりも小さく、開閉部材３０が閉鎖位置（開閉部材３０の上面が水平方向と平行をなす位置）にあるときの上下方向の寸法が固定片部２１とシールド部材５０との間隔よりも大きくなるように断面が一方向に長く形成されている。また、開閉部材３０の他端側には各端子２０の他端側を覆うカバー部３２が設けられ、開閉部材３０を閉鎖位置まで回動すると、カバー部３２がコネクタ本体１０の背面側に位置するようになっている。この場合、各端子２０の他端側がカバー部３２によって覆われると、カバー部３２の一端に設けた切り欠き３２ａ内に各端子２０の接続部２３が位置するとともに、カバー部３２の内面側に設けた突起３２ｂがコネクタ本体１０の係合溝１３ａに係合するようになっている。また、開閉部材３０の上面側と背面側との間には、開閉部材３０を開放位置まで回動すると図示しない基板の表面（コネクタ本体の取付対象面）に対して略平行となる平面部３３が設けられ、平面部３３は開閉部材３０の幅方向中央に配置されている。
【００１５】
シールド部材４０はコネクタ本体１０の幅方向に延びる導電性の金属板からなり、その後端側をコネクタ本体１０の溝１０ｃに前方から圧入することにより、コネクタ本体１０に上下方向に弾性変形可能に取付けられている。この場合、シールド部材４０はフレキシブル回路１の他方の面側（上面側）に位置するようになっており、その前端側には斜め上方に屈曲する傾斜部４１が設けられている。シールド部材４０の幅方向両端側はコネクタ本体１０の側面部１３の前端側を覆うように略Ｌ字状に形成され、その下端側には図示しない基板に接続されるグランド用接続部４２が設けられている。
【００１６】
以上のように構成されたコネクタは、図３に示すように開閉部材３０を開放位置にした状態で組立てられる。その際、開閉部材３０の平面部３３を図示しない部品保持具によって吸着することにより、図示しない基板の実装位置まで搬送される。また、コネクタを基板に実装する際は、開閉部材３０を開放位置にしたまま各端子２０の接続部２３及びシールド部材４０の接続部４２が半田付けにより基板に接続される。その際、各端子２０の他端側は開閉部材３０のカバー部３２で覆われていないので、カバー部３２が半田付け作業の妨げとなることはない。
【００１７】
次に、コネクタを基板に実装した後、フレキシブル回路１の一端側を開口部１０ａ内に挿入し、図４に示すように開閉部材３０を閉鎖位置まで回動すると、押圧部３１が端子２０の固定片部２１に当接しながら開閉部材３０と一体に回動し、押圧部３１によってシールド部材４０が下方に押圧される。これにより、シールド部材４０の前端側が下方に弾性変形してフレキシブル回路１の上方の面（グランド側）側に圧接するとともに、フレキシブル回路１の下方の面（信号線側）が可動片部２２に圧接し、フレキシブル回路１が接続される。その際、開閉部材３０の回動部分の下方に位置するフレキシブル回路１がシールド部材４０によって覆われることから、開閉部材３０の回動部分においても外部からの電磁波が遮断される。また、シールド部材４０が開閉部材３０の押圧部３１で押圧されてフレキシブル回路１に圧接することから、シールド部材４０には押圧部３１の押圧によるフレキシブル回路１への接触圧が付与される。
【００１８】
このように、本実施形態のコネクタによれば、開閉部材３０を閉鎖位置まで回動すると、弾性変形可能なシールド部材４０が開閉部材３０に押圧されてフレキシブル回路１に圧接するようにしたので、シールド部材４０を開閉部材３０の回動部分を回避するように形成する必要がない。従って、開閉部材３０の回動部分においてもシールド部材４０によって外部からの電磁波を確実に遮断することができ、ＥＭＩ対策を強化することができる。また、シールド部材４０には押圧部３１の押圧によるフレキシブル回路１への接触圧を付与することができるので、長期的な使用においても接触圧が低下することがなく、グランドの接続信頼性を高めることができる。
【００１９】
また、各端子２０の固定片部２１とシールド部材４０との間に、固定片部２１に当接しながら開閉部材３０と一体に回動してシールド部材４０を押圧する押圧部３１を設けたので、開閉部材３０の回動部を押圧部３１とは別に設ける必要がなく、構造の簡素化を図ることができる。
【００２０】
更に、シールド部材４０に外部のグランド部に接続可能なグランド用接続部４２を設けたので、シールド部材４０を電磁波遮断用の部材のみならず、グランド接続用の部材としても用いることができ、部品点数を少なくすることができる。
【００２１】
また、開閉部材３０を閉鎖位置まで回動すると、開閉部材３０に設けたカバー部３２によって各端子２０の他端側を覆うようにしたので、各端子２０の他端側に外部のゴミや塵埃が付着することがなく、金属片等の導電物の付着による端子２０の短絡を確実に防止することができる。この場合、カバー部３２が開閉部材３０に設けられているので、別部品からなるカバーを用いる場合に比べ、部品点数が増加することがなく、カバーの取付作業も必要としないという利点がある。
【００２２】
更に、開閉部材３０を開放位置まで回動すると、開閉部材３０に設けた平面部３３がコネクタ本体１０の取付対象面に対して略平行となるようにしたので、平面部３３を部品保持具によって取付対象面の垂直方向に吸着することにより、コネクタ本体１０を取付対象面に対して平行に保持することができ、基板に実装する場合に極めて有利である。
【図面の簡単な説明】
【００２３】
【図１】本発明の一実施形態を示すコネクタの正面側斜視図
【図２】コネクタの背面側斜視図
【図３】開閉部材の開放状態を示す側面断面図
【図４】開閉部材の閉鎖状態を示す側面断面図
【符号の説明】
【００２４】
１…フレキシブル回路、１０…コネクタ本体、２０…端子、２１…固定片部、２２…弾性片部、３０…開閉部材、３１…押圧部、３２…カバー部、３３…平面部、４０…グランド部材、４２…グランド用接続部。
【図１】
2006120429.tif 000003
【図２】
2006120429.tif 000004
【図３】
2006120429.tif 000005
【図４】
2006120429.tif 000006